(57)【要約】      （修正有）【課題】胃壁の周りに完全なループを確実に形成するための一致する端部を備えたバルーンを用いた胃バンドを提供すること。【解決手段】胃バンド１０であって、ベルト１８およびそのベルトに固定されたバルー２０を含む。バルーンおよびベルトは、所定の位置で胃を取り囲むことができる形状および寸法を有する。バルーンは、第１の端部３２および第２の端部３４を有する長手方向に延びた本体を含む。第１の端部および第２の端部はそれぞれ、整列して、バルーンの第１の端部と第２の端部との間の外面および内面の移行部として胃バンドの外面および内面に沿った概ね連続的な表面を形成する一致構造を含む。【選択図】図２
2007044498.tif 000002
【特許請求の範囲】
【請求項１】
胃バンドにおいて、
所定の位置で胃を取り囲むことができる形状および寸法を有するバルーンを含み、
前記バルーンが、第１の端部および第２の端部を有する長手方向に延びた本体を含み、前記第１の端部および前記第２の端部がそれぞれ、整列して、前記バルーンの前記第１の端部と前記第２の端部との間の内面移行部として前記胃バンドの内面に沿った概ね連続的な表面を形成する一致構造を含む、
胃バンド。
【請求項２】
請求項１に記載の胃バンドにおいて、
前記第１の端部および前記第２の端部がそれぞれ、前記第１の端部と前記第２の端部が互いに引き寄せられた時に一致する傾斜面を備えている、胃バンド。
【請求項３】
請求項１に記載の胃バンドにおいて、
前記第１の端部および前記第２の端部がそれぞれ、前記第１の端部と前記第２の端部が互いに引き寄せられた時に一致するタング構造および溝構造を備えている、胃バンド。
【請求項４】
請求項１に記載の胃バンドにおいて、
前記バルーンの制御された膨張のために、前記バルーンに流体連通した流体供給チューブをさらに含む、胃バンド。
【請求項５】
請求項４に記載の胃バンドにおいて、
前記流体供給チューブに流体連通した流体注入ポートをさらに含む、胃バンド。
【請求項６】
請求項１に記載の胃バンドにおいて、
前記バルーンがシリコーンからなる、胃バンド。
【請求項７】
請求項６に記載の胃バンドにおいて、
ベルトの内面に取り付けられたベルトをさらに含む、胃バンド。
【請求項８】
請求項７に記載の胃バンドにおいて、
前記バルーンおよび前記ベルトがシリコーンからなる、胃バンド。
【請求項９】
請求項１に記載の胃バンドにおいて、
前記胃の一部の周りを取り囲む位置に前記胃バンドを選択的に固定するための取付け機構をさらに含む、胃バンド。
【請求項１０】
胃バンドにおいて、
ベルトと、
前記ベルトに固定されたバルーンであって、前記バルーンおよび前記ベルトが所定の位置で胃を取り囲むことができる形状および寸法を有する、前記バルーンと、
を備え、
前記バルーンが、第１の端部および第２の端部を有する長手方向に延びた本体を含み、前記第１の端部および前記第２の端部がそれぞれ、整列して、前記バルーンの前記第１の端部と前記第２の端部との間の内面移行部として前記胃バンドの内面に沿った概ね連続的な表面を形成する一致構造を含む、
胃バンド。
【請求項１１】
胃バンドにおいて、
所定の位置で胃を取り囲むことができる形状および寸法を有するバルーンを備え、
前記バルーンが、第１の端部および第２の端部を有する長手方向に延びた本体を含み、前記バルーンの前記第１の端部と前記第２の端部は、整列すると、前記第１の端部と前記第２の端部との間の内面移行部として前記胃バンドの内面に沿った概ね連続的な表面を形成する、
胃バンド。
【発明の詳細な説明】
【開示の内容】
【０００１】
〔発明の分野〕
本発明は、胃バンドに関する。詳細には、本発明は、胃壁の周りに完全なループを確実に形成するための一致する端部を備えたバルーンを用いた胃バンドに関する。
【０００２】
〔従来技術〕
病的肥満は深刻な症状である。実際、病的肥満は、米国はもちろん他の国でも一般的になってきており、その傾向は高まっているようである。病的肥満に関連した合併症には、平均余命を著しく縮める高血圧、糖尿病、冠動脈疾患、発作、うっ血性心不全、様々な整形外科的な問題、および肺不全などが含まれる。このことから、当業者には明らかなように、病的肥満に関連した金銭および物理的なコストは相当なものである。実際に、肥満に関連したコストは、米国だけでも１０００億ドルを超えると推定される。
【０００３】
肥満を治療するために様々な外科処置が開発されてきた。現在行われている最も一般的な外科処置は、ルーＹ胃バイパス術（Roux-en-Y gastric bypass）（ＲＹＧＢ）である。この処置は、極めて複雑であり、通常は病的肥満を示す患者を治療するために用いられる。他のタイプの肥満外科手術には、フォビ嚢（Fobi pouch）、胆膵路転換手術（bilio-pancreatic diversion）、および胃形成術（gastroplastic）または「胃ステープル止め（stomach stapling）」が含まれる。加えて、胃を通過する食物を制限して満腹感を与える移植用装置も知られている。
【０００４】
多くのこのような外科処置は侵襲性が高いため、低外傷性および低侵襲性の外科処置を開発する試みがなされてきた。胃バンド法は、胃を縮小することによって食物摂取を制限しようとする胃縮小外科手術の一種である。ＲＹＧＢおよび他の胃縮小外科手術に比べて、胃バンド法は、十二指腸や空腸の消化管の構造を変える必要がない。
【０００５】
１９８０年代初頭より、胃バンドは、病的肥満に対する胃バイパスおよび他の不可逆的外科的体重減少治療の有効な代替手段となっている。胃バンド法の名の下で、いくつかの代替外科処置が行われた。あるバンド技術は胃リングを用い、別の技術はバンドを用い、さらに別の技術は胃ステープルを用い、さらに別の手法ではリング、バンド、およびステープルの組合せを用いている。最も一般的に行われている外科処置には、ラップバンド、垂直遮断胃形成術（vertical banded gastroplasty）（ＶＢＧ）、シラスティックリング胃形成術（silastic ring gastroplasty）（ＳＲＧ）、および調節可能なシラスティックリング胃バンド法（adjustable silastic gastric banding）（ＡＧＢ）が含まれる。
【０００６】
一般に、胃バンドは、患者の胃の上部の周りを取り囲み、胃の通常の内径よりも小さい小孔(stoma)を形成する。この小孔が、食物が胃の上部から消化力のある下部に移動するのを制限する。この小孔が適切な大きさであると、胃の上部に保持される食物が、満腹感を与え、過食が防止される。
【０００７】
バルーン構造を備えた胃バンドも開発された。クズマック（Kuzmak）らによる米国特許第４，５９２，３３９号に、遠隔の注入部位を介して膨張および収縮できるバルーン部を有する小孔の調節が可能な胃バンドが開示されている。このバルーン膨張部により、手術中および手術後に小孔の大きさを調節することができる。過去数年間で、従来の胃バンドの製造業者は、このようなバンドのバルーンのデザインを改善した。
【０００８】
ある種のバルーンを用いた胃バンドは、閉じるとほぼ３６０度の外周を形成する。充填されて膨張すると、このようなバルーンを用いた胃バンドは、ほぼ３６０度、胃組織と圧迫接触する。このような胃バンドは、ほぼ３６０度の外周を形成するが、バルーンの第１の端部と第２の端部が互いに接合される部分に隙間すなわち締付け部が残る。したがって、胃壁の外面に完全に３６０度接触するように、このような隙間すなわち締付け部の問題を緩和し、これにより現在のバルーンを用いた胃バンドにおける隙間すなわち締付け部（pinch point）を大幅に縮小するか排除した胃バンドが要望されている。したがって、本発明は、このような胃バンドを提供する。
【０００９】
〔発明の概要〕
従って、本発明の目的は、所定の位置で胃を取り囲むことができる形状および寸法を有するバルーンを備えた胃バンドを提供することにある。バルーンは、第１の端部および第２の端部を有する長手方向に延びた本体を含む。第１の端部および第２の端部はそれぞれ、整列（align）して、バルーンの第１の端部と第２の端部との間の外面および内面の移行部として胃バンドの外面および内面に沿った概ね連続的な表面を形成する一致構造(mating profile)を含む。
【００１０】
本発明の目的はまた、第１の端部および第２の端部がそれぞれ、互いに引き寄せられた時に一致する傾斜面を備えている胃バンドを提供することにある。
【００１１】
本発明の別の目的は、第１の端部および第２の端部がそれぞれ、互いに引き寄せられた時に一致するタング構造と溝構造を備えている胃バンドを提供することにある。
【００１２】
本発明のさらに別の目的は、バルーンを制御下で膨張させるための、バルーンに連通した流体供給チューブを含む胃バンドを提供することにある。
【００１３】
本発明のさらに別の目的は、流体供給チューブに流体連通した流体注入ポートを含む胃バンドを提供することにある。
【００１４】
本発明の別の目的は、バルーンがシリコーンからなる胃バンドを提供することにある。
【００１５】
本発明の目的はまた、シリコーンからなるベルトを含む胃バンドを提供することにある。
【００１６】
本発明のさらなる目的は、バルーンがベルトの内面に取り付けられている胃バンドを提供することにある。
【００１７】
本発明のさらに別の目的は、胃の一部の周りを取り囲む位置に胃バンドを選択的に固定するための取付け機構（fastening mechanism）を含む胃バンドを提供することにある。
【００１８】
本発明の目的はまた、ベルトおよびそのベルトに固定されたバルーンを含む胃バンドを提供することにある。バルーンおよびベルトは、所定の位置で胃を取り囲むことができる形状および寸法を有する。バルーンは、第１の端部および第２の端部を有する長手方向に延びた本体を含み、これらの第１の端部および第２の端部はそれぞれ、一致構造を含む。
【００１９】
本発明の別の目的は、所定の位置で胃を取り囲むことができる形状および寸法を有するバルーンを含む胃バンドを提供することにある。バルーンは、第１の端部および第２の端部を有する長手方向に延びた本体を含み、第１の端部と第２の端部が整列すると、バルーンの第１の端部と第２の端部との間の外面および内面の移行部として胃バンドの外面および内面に沿った概ね連続的な表面を形成する。
【００２０】
本発明の他の目的および利点は、本発明の特定の実施形態を説明する添付の図面を参照しながら以下の詳細な説明を読むと明らかになるであろう。
【００２１】
〔好適な実施形態の説明〕
本発明の詳細な実施形態をここに開示する。しかしながら、開示する実施形態は本発明の単なる例示であり、様々な形態で具現できることを理解されたい。したがって、ここに開示する詳細は、限定と解釈すべきではなく、単に、添付の特許請求の範囲の基礎であり、当業者が本発明をどのように実施および／または利用するかを教示する基礎になる。
【００２２】
図１‐図３を参照すると、本発明に従ったバルーンを用いた胃バンド１０が開示されている。この胃バンド１０は、胃の大きさを小さくする所定の位置で胃１２を取り囲むことができる形状および寸法を有する。
【００２３】
胃バンド１０に連通した流体供給チューブ１４が、遠隔に位置する流体注入ポート１６に連通している。胃バンド１０は通常、外側張力保持ベルト１８を含む。この張力保持ベルト１８は、その内面２２に取り付けられた膨張性のバルーン２０を有する。胃バンド１０が所定の位置に配置されたら、バルーン２０を膨張させて胃の容積を限定する。バルーン２０を膨張させる際は、充填液を注入ポート１６内に注入し、この充填液を供給チューブ１４を介してバルーン２０に送る。
【００２４】
図１を参照すると、胃バンド１０は、図示されているように胃１２の上部を取り囲んでいる。胃バンド１０は、その第１の端部２４と第２の端部２６が互いに取り付けられ、一部を胃１２に接合して胃１２の一部を胃バンド１０の上に延在させて、所定の位置に維持されている。
【００２５】
ここで図２および図３を参照すると、本発明に従った胃バンド１０がより詳細に開示されている。簡単に上記したように、胃バンド１０は、張力保持ベルト１８と、バルーン２０および遠隔に配置された流体注入ポート１６に連通した流体供給チューブ１４を含む。膨張性のバルーン２０は、ベルト１８の内面２２に沿って設けられている。バルーン２０は、任意の周知の方法でベルト１８の内面２２に固定されるかベルト１８と一体に形成されるが、ベルト１８は、通常は別々に形成される。
【００２６】
流体供給チューブ１４の遠位端部２８は、バルーン２０の内部キャビティ３０に連通し、近位端部２７は、遠隔の注入ポート１６の内部キャビティ（不図示）に連通している。
【００２７】
バルーン２０は、第１の端部３２および第２の端部３４を備えた細長い構造である。バルーン２０は、約１１ｃｍの長さを有するのが好ましい。しかしながら、当業者であれば、バルーン２０が、胃１２を十分に圧縮できる任意の長さにできることを理解できよう。バルーン２０は、約０．３ｍｍ〜０．７ｍｍの範囲、より好ましくは約０．６４ｍｍの厚みの材料から形成するのが好ましい。材料の厚みは、バルーンの材料によって異なり、バルーンの厚みは、バルーンの構造によって様々であることを理解されたい。本発明の好適な実施形態に従えば、バルーン２０は、医療用シリコーンから製造されるが、本発明の精神から逸脱することなく、例えば移植用ポリウレタンなどの他の材料から形成することもできる。
【００２８】
本発明の好適な実施形態に従えば、バルーン２０は、１つのキャビティを備えた細長い本体である。しかしながら、バルーンは、本発明の精神の範囲内で様々にデザインできる。例えば、参照することを以って本明細書の一部とする米国特許出願公開第２００５／００７０９３７号（名称：「分割型胃バンド（SEGMENTED GASTRIC BAND）」）に開示されているような多分割バルーンは、本発明の精神から逸脱することなく利用することができる。
【００２９】
バルーン２０は、第１の端部３２および第２の端部３４に沿ってそれぞれ一致構造３６および３８を備えて形成されている。一致構造３６および３８は、胃壁の外面と完全に３６０度接触し、胃壁の周りに巻きつけられて膨張した時に、バルーン２０の第１の端部３２と第２の端部３４との間にできる隙間すなわち締付け部を縮小するか排除するようにデザインされている。
【００３０】
図１、図２および図３を参照すると、第１の端部３２および第２の端部３４はそれぞれ、この第１の端部３２と第２の端部３４を互いに引き寄せて、外側の胃壁の周りにバルーン２０をループ状にした時に、図３に示されているように一致する傾斜面３６および３８を備えている。図４‐図７に示されているように、第１の端部１３２，２３２および第２の端部１３４，２３４はそれぞれ、互いに引き寄せられて外側の胃壁の周りにバルーン１２０，２２０をループ状にすると、図５および図７に示されているように一致するタング１３６，２３６および溝１３８，２３８を備えている。当業者であれば、本発明に従って用いることができる端部構造に関連した様々な可能なデザインが、本発明の精神の範囲内で可能であることを理解できよう。
【００３１】
上記したように、バルーン２０，１２０，２２０の端部は、第１の端部３２，１３２，２３２および第２の端部３４，１３４，２３４との間の一致関係が得られるように形成されている。この一致関係は、胃バンド１０，１１０，２１０の外面５０，１５０，２５０ならびに胃バンド１０，１１０，２１０の内面５２，１５２，２５２に沿って概ね連続的な表面を形成する。バルーン２０，１２０，２２０の第１の端部３２，１３２，２３２および第２の端部３４，１３４，２３４に一致構造を設けることにより、胃バンド１０，１１０，２１０の外面５０，１５０，２５０および内面５２，１５２，２５２が、バルーン２０，１２０，２２０の第１の端部３２，１３２，２３２および第２の端部３４，１３４，２３４との間の移行部として実質的に連続的になり、連続したリングが形成される。
【００３２】
張力保持ベルト１８は、バルーン２０よりもわずかに長く、用いる種類のラッチ機構４０を受容するのに十分な任意の好適な長さとすることができる。バルーン２０自体と同様に、保持ベルト１８は、医療用シリコーンポリマーから形成されるが、本発明の精神から逸脱することなく、例えば移植用ポリウレタンなどの任意の可撓性の生体適合性材料から形成することができる。
【００３３】
胃バンド１０、特に張力保持ベルト１８は、胃バンド１０を胃１２の一部の周りに取外し可能に配置できるように、ラッチ機構４０を備えている。本発明の精神の範囲内で様々なラッチ機構を用いることができる。このようなラッチ機構の例が、参照することを以って本明細書の一部とする米国特許出願第２００５／０００２９８４号（名称：「異なる材料特性を有する取付け機構を備えた移植用バンド（IMPLANTABLE BAND WITH ATTACHMENT MECHANISM HAVING DISSIMALR MATERIAL PRORPERTIES）」）、同第２００４／０２６７２９１号（名称：「非機械式取付け機構を備えた移植用バンド（IMPLANTABLE BAND WITH NON-MECHANICAL ATTACHMENT MECHANISM）」）、同第２００４／０２６７２９２号（名称：「横型取付け機構を備えた移植用バンド（IMPLANTABLE BAND WITH TRANSVERSE ATTACHMENT MECHANISM）」）同第２００４／０２６７２８８号（名称：「改善された取付け機構を備えた移植用バンド（IMPLANTABLE BAND HAVING IMPROVED ATTACHMENT MECHANISM）」）、および同第２００４／０２６７２９３号（名称：「取付け機構を備えた移植用バンド（IMPLANTABLE BAND WITH ATTACHMENT MECHANISM）」）に開示されている。
【００３４】
上記したように、バルーン２０は、遠隔注入ポート１６に結合された流体供給チューブ１４を備えている。流体供給チューブ１４は、バルーン２０の内部キャビティ３０にアクセスを与えるためのインレット４２を含む。遠隔注入ポート１６はシリコーン隔壁を含む。調節可能な胃バンド１０を胃１２の一部の周りに移植する際に、遠隔注入ポート１６も、ヒューバー針を介して経皮的にアクセスするために、通常は腹直筋鞘内の、好適な位置に移植する。本発明に従って用いることができる注入ポートの構造の例は、参照することを以って本明細書の一部とする米国特許出願第２００４／０２５４５３６号（名称：「一体型ファスナーを備えた経皮的自己取付け注入ポート（SUBCUTANEOUS SELF ATTACHING INJECTION PORT WITH INTEGRAL FASTENERS）」）、同第２００４／０２５４５３７号（名称：「一体型可動保持部材を備えた経皮的自己取付け注入ポート（SUBCUTANEOUS SELF ATTACHING INJECTION PORT WITH INTEGRAL MOVEABLE RETENTION MEMBERS）」）に開示されている。
【００３５】
バルーン２０の内部キャビティ３０は、取付け前に空にする。流体供給チューブ１４および遠隔注入ポート１６の内部キャビティは、手術後の調節の際に、生理食塩水や放射線不透過性溶液などの生理学的に適合した流体を導入するのが好ましい。バルーン２０によって囲まれた内周、従って小孔の大きさの手術後の調節は、ヒューバー針を注入ポート１６のシリコーン隔壁内に経皮的に刺入して、バルーン２０の内部キャビティから流体を注入または除去して行うことができる。
【００３６】
胃バンド１０の取付けは、トロカールを介して患者の腹部内にバンド１０を先ず挿入して行う。次いで、尖っていない分離装置を用いて食道胃接合部に近い胃１２の後側にトンネルを形成する。次いで、胃バンド１０を、捕捉器具または尖っていない分離装置などの器具で保持し、形成したトンネルを介して患者の胃１２の周りに巻きつける。次いで、ラッチ機構４０をロックする。次いで、注入ポート１６を胃バンド１０に取り付け、注入ポート１６を腹部または他の好適な位置に経皮的に固定する。次いで、生理食塩水などの好適な充填液を注入ポート１６内に注入し、そこからこの充填液が、流体供給チューブ１４のインレット４２を介してバルーンの内部キャビティ３０に送られる。胃バンド１０が取り付けられる際またはその後、必要に応じて、シリンジを注入ポート１６内に挿入して充填液を抜き取り、バルーン２０から所定量の充填液を除去することができる。
【００３７】
本発明は胃バンドに使用するように記載しているが、当業者であれば、本発明を他のタイプの移植用バンドに等しく適用できることを理解できよう。例えば、大便失禁の治療に用いることができる。このようなバンドは、米国特許第６，４６１，２９２号に開示されている。バンドは尿失禁の治療に用いることもできる。このようなバンドは、米国特許出願公開第２００３／０１０５３８５号に開示されている。バンドは、胸焼けおよび／または胃酸の逆流の治療に用いることもできる。このようなバンドは米国特許第６，４７０，８９２号に開示されている。バンドは、インポテンスの治療に用いることもできる。このようなバンドは、米国特許出願公開第２００３／０１１４７２９号に開示されている。
【００３８】
好適な実施形態を図示および説明してきたが、このような開示によって本発明を限定することを意図するものではなく、むしろ、本発明の精神および範囲内に含まれる全ての変更形態および代替の構造を含むものとすることを理解されたい。
【００３９】
〔実施の態様〕
（１）胃バンドにおいて、
所定の位置で胃を取り囲むことができる形状および寸法を有するバルーンを含み、
前記バルーンが、第１の端部および第２の端部を有する長手方向に延びた本体を含み、前記第１の端部および前記第２の端部がそれぞれ、整列して、前記バルーンの前記第１の端部と前記第２の端部との間の内面移行部として前記胃バンドの内面に沿った概ね連続的な表面を形成する一致構造を含む、
胃バンド。
（２）実施態様（１）に記載の胃バンドにおいて、
前記第１の端部および前記第２の端部がそれぞれ、前記第１の端部と前記第２の端部が互いに引き寄せられた時に一致する傾斜面を備えている、胃バンド。
（３）実施態様（１）に記載の胃バンドにおいて、
前記第１の端部および前記第２の端部がそれぞれ、前記第１の端部と前記第２の端部が互いに引き寄せられた時に一致するタング構造および溝構造を備えている、胃バンド。
（４）実施態様（１）に記載の胃バンドにおいて、
前記バルーンの制御された膨張のために、前記バルーンに流体連通した流体供給チューブをさらに含む、胃バンド。
（５）実施態様（４）に記載の胃バンドにおいて、
前記流体供給チューブに流体連通した流体注入ポートをさらに含む、胃バンド。
【００４０】
（６）実施態様（１）に記載の胃バンドにおいて、
前記バルーンがシリコーンからなる、胃バンド。
（７）実施態様（６）に記載の胃バンドにおいて、
ベルトの内面に取り付けられたベルトをさらに含む、胃バンド。
（８）実施態様（７）に記載の胃バンドにおいて、
前記バルーンおよび前記ベルトがシリコーンからなる、胃バンド。
（９）実施態様（１）に記載の胃バンドにおいて、
前記胃の一部の周りを取り囲む位置に前記胃バンドを選択的に固定するための取付け機構をさらに含む、胃バンド。
（１０）胃バンドにおいて、
ベルトと、
前記ベルトに固定されたバルーンであって、前記バルーンおよび前記ベルトが所定の位置で胃を取り囲むことができる形状および寸法を有する、前記バルーンと、
を備え、
前記バルーンが、第１の端部および第２の端部を有する長手方向に延びた本体を含み、前記第１の端部および前記第２の端部がそれぞれ、整列して、前記バルーンの前記第１の端部と前記第２の端部との間の内面移行部として前記胃バンドの内面に沿った概ね連続的な表面を形成する一致構造を含む、
胃バンド。
【００４１】
（１１）実施態様（１０）に記載の胃バンドにおいて、
前記第１の端部および前記第２の端部がそれぞれ、前記第１の端部と前記第２の端部が互いに引き寄せられた時に一致する傾斜面を備えている、胃バンド。
（１２）実施態様（１０）に記載の胃バンドにおいて、
前記第１の端部および前記第２の端部がそれぞれ、前記第１の端部と前記第２の端部が互いに引き寄せられた時に一致するタング構造および溝構造を備えている、胃バンド。
（１３）実施態様（１０）に記載の胃バンドにおいて、
前記バルーンの制御された膨張のために、前記バルーンに流体連通した流体供給チューブをさらに含む、胃バンド。
（１４）胃バンドにおいて、
所定の位置で胃を取り囲むことができる形状および寸法を有するバルーンを備え、
前記バルーンが、第１の端部および第２の端部を有する長手方向に延びた本体を含み、前記バルーンの前記第１の端部と前記第２の端部は、整列すると、前記第１の端部と前記第２の端部との間の内面移行部として前記胃バンドの内面に沿った概ね連続的な表面を形成する、
胃バンド。
（１５）実施態様（１４）に記載の胃バンドにおいて、
前記第１の端部および前記第２の端部がそれぞれ、前記第１の端部と前記第２の端部が互いに引き寄せられた時に一致する傾斜面を備えている、胃バンド。
【００４２】
（１６）実施態様（１４）に記載の胃バンドにおいて、
前記第１の端部および前記第２の端部がそれぞれ、前記第１の端部と前記第２の端部が互いに引き寄せられた時に一致するタング構造および溝構造を備えている、胃バンド。
（１７）実施態様（１４）に記載の胃バンドにおいて、
前記バルーンの制御された膨張のために、前記バルーンに流体連通した流体供給チューブをさらに含む、胃バンド。
（１８）実施態様（１４）に記載の胃バンドにおいて、
前記バルーンがシリコーンからなる、胃バンド。
（１９）実施態様（１４）に記載の胃バンドにおいて、
前記胃の一部の周りを取り囲む位置に前記胃バンドを選択的に固定するための取付け機構をさらに含む、胃バンド。
（２０）実施態様（１４）に記載の胃バンドにおいて、
ベルトの内面に取り付けられたベルトをさらに含む、胃バンド。
【図面の簡単な説明】
【００４３】
【図１】胃の周りに巻きつけられた本発明の胃バンドの斜視図である。
【図２】本発明の胃バンドの斜視図である。
【図３】環状構造になった本発明の胃バンドの平面図である。
【図４】本発明に従った代替の実施形態の側面図である。
【図５】本発明に従った代替の実施形態の平面図である。
【図６】本発明に従った別の代替の実施形態の側面図である。
【図７】本発明に従った別の代替の実施形態の平面図である。
【図１】
2007044498.tif 000003
【図２】
2007044498.tif 000004
【図３】
2007044498.tif 000005
【図４】
2007044498.tif 000006
【図５】
2007044498.tif 000007
【図６】
2007044498.tif 000008
【図７】
2007044498.tif 000009
【外国語明細書】
2007044498000001.pdf